【手続補正書】
【提出日】平成20年7月2日(2008.7.2)
【手続補正１】
【補正対象書類名】特許請求の範囲
【補正対象項目名】全文
【補正方法】変更
【補正の内容】
【特許請求の範囲】
【請求項１】
選択された時刻および場所に、ネットワーク接続された多数の電子ディスプレイ上にビデオまたは静止画像コンテンツを提供するためのシステムであって、
前記システムは、複数の電子ディスプレイを互いに接続するネットワークを備え、
前記ネットワークは、
車両交通量の多い領域、
歩行者交通量の多い屋内および屋外の領域、
映画館、
レストラン、
運動競技場、および
カジノ
のような交通量の多い位置のうち複数の位置に配置され、
前記電子ディスプレイの少なくともいくつかは、車道広告板を含み、
前記システムは、広告主に対して以下の（ｉ）〜（ｉｖ）を可能にする手段を備え、
（ｉ）電子ディスプレイ位置のそれぞれに、利用可能なタイムスロットにおいて前記ビデオまたは静止画像コンテンツを配置するために、前記電子ディスプレイ位置のそれぞれについて利用可能なタイムスロットを見ること、
（ｉｉ）前記ネットワークの前記電子ディスプレイのうち、ビデオまたは静止画像コンテンツを表示するために利用可能であるタイムスロットを１つまたは複数有するものを選択すること、
（ｉｉｉ）前記ネットワークの選択された電子ディスプレイ上で、選択されたタイムスロットでのビデオまたは静止画像コンテンツの提供をスケジュールすることであって、前記タイムスロットは、前記広告主によって見られる利用可能な前記タイムスロットから選択される、スケジュールすること、
（ｉｖ）前記選択された電子ディスプレイ上で、前記選択されたタイムスロットで表示するための、ビデオまたは静止画像広告コンテンツを提出すること、
前記可能にする手段は、前記ビデオまたは静止画像広告コンテンツを前記広告主から
受信するための中央処理サーバを含み、前記中央処理サーバは、前記広告主が選択したタイムスロットで前記広告コンテンツを表示するために、広告主が選択した電子ディスプレイへの前記ビデオまたは静止画像広告コンテンツの通信を開始し、
前記システムは送信手段を備え、前記送信手段は、前記ネットワークの選択された電子ディスプレイのそれぞれに関連付けられ、電子ディスプレイのそれぞれが対応するサーバ装置に、広告主がスケジュールしたコンテンツを通信するために、前記中央処理サーバと通信し、前記関連付けられたサーバ装置のそれぞれは、前記広告主が選択したタイムスロットにおいて、前記ネットワークの広告主が選択した対応する電子ディスプレイ上で前記ビデオまたは静止画像広告コンテンツの表示を開始し、
前記システムは、前記中央処理サーバと通信する手段を備え、前記中央処理サーバと通信する前記手段は、受信されたビデオまたは静止画像広告コンテンツを前記広告主が選択した電子ディスプレイの前記関連付けられたサーバ装置に送信する前に、受信されたビデオまたは静止画像広告コンテンツの再検討を可能にし、前記コンテンツは、再検討者が前記コンテンツを承認すると、前記広告主が選択した前記電子ディスプレイに送信され、
前記システムは、それぞれの位置において前記電子ディスプレイのそれぞれにリンクされた手段を備え、前記リンクされた手段は、ディスプレイのためのスケジュールされたコンテンツが意図された時刻に意図されたディスプレイにおいて提供されるということを検証するために、およびそれに関連する検証情報を生成するためにリンクされ、
前記システムは、前記検証手段のそれぞれによって生成された前記検証情報を受け取って記憶する手段を備え、
前記システムは、複数の広告主に前記中央処理サーバへのインターネットアクセスを提供するインタフェースサーバ装置を備え、前記インタフェースサーバ装置は、前記広告主による遠隔的な位置での視聴、ディスプレイ選択、スケジューリング、およびコンテンツ提出を可能にするためのものである
ビデオまたは静止画像コンテンツを提供するためのシステム。
【請求項２】
前記コンテンツは、公共サービスの告示、ニュース、またはスポーツイベントのうち１つまたは複数を含む、請求項１に記載のシステム。
【請求項３】
前記複数の電子ディスプレイのうちかなりの数は、ＬＥＤディスプレイである、請求項１に記載のシステム。
【請求項４】
前記ビデオまたは静止画像コンテンツは、
インターネットを介したオンライン、
直通の電話回線、および
高速情報転送回線
からなる群のうちから選択される機構に従って、前記中央処理サーバに送信される、請求項１に記載のシステム。
【請求項５】
対応する電子ディスプレイのそれぞれに関連付けられた前記サーバ装置は、関連付けられた電子ディスプレイに設けられ、
対応する電子ディスプレイのそれぞれに関連付けられた前記サーバ装置は、前記受け取る手段から前記コンテンツを受け取って、その関連付けられたディスプレイを駆動する機能を提供し、
表示されるべき前記コンテンツが承認されると、前記コンテンツは、選択されたディスプレイに関連付けられた前記サーバ装置に送信される
請求項１に記載のシステム。
【請求項６】
前記送信手段は、
高速ケーブル、
衛星リンク、
専用電話接続、
高速通信回線、
セルラーデータ送信装置、
ＰＣＳデータ送信装置、
インターネット、
無線／無線パルス送信装置、および
高速光ファイバー
からなる群のうちから選択される、請求項１に記載のシステム。
【請求項７】
ディスプレイのそれぞれに関連付けられたサーバ装置に関連付けられたビデオ変換器／スケーラー機構をさらに含み、
前記ビデオ変換器／スケーラー機構は、実装された前記送信手段に従って、前記コンテンツのいかなる要求された再フォーマットも可能にする
請求項６に記載のシステム。
【請求項８】
前記検証手段は、それぞれのディスプレイに表れる前記コンテンツを記録するためのディジタルカメラを含む、請求項１に記載のシステム。
【請求項９】
車両の交通のある位置に複数の車道広告板が配置され、
前記システムは、さらに、交通量カウントレコーダー手段を含み、
前記交通量カウントレコーダー手段は、電子ディスプレイのそれぞれにリンクされて、特定のタイムスロット中にその電子ディスプレイを通過する交通の数量を数え、
前記交通量カウントレコーダー手段は、前記記憶する手段が受け取って記憶するための交通量カウント情報を生成する
請求項１に記載のシステム。
【請求項１０】
前記記憶された検証情報および交通量カウント情報を受け取って記憶し、
前記情報を分析し、
コンテンツプロバイダのコンテンツが表示された後に、そのコンテンツプロバイダに送信されるべき報告のための人口統計情報を生成する
手段をさらに備える、請求項９に記載のシステム。
【請求項１１】
前記報告のための前記人口統計情報は、
広告の時刻、
広告のコンテンツ、
交通量カウント、および
広告を視聴した可能性のある人の居住地／収入中央値に関する情報
を含む情報を含む、請求項１０に記載のシステム。
【請求項１２】
コンテンツプロバイダに送信できる請求書を生成する手段をさらに備える、請求項１に記載のシステム。
【請求項１３】
複数の前記電子ディスプレイは、発光ダイオード（ＬＥＤ）を利用し、
前記ＬＥＤは紫外線ＬＥＤを含み、
前記紫外線ＬＥＤは、所望の色スペクトルの光を発生させる燐光体コーティングを励起するために利用される
請求項１に記載のシステム。
【請求項１４】
前記燐光体コーティングは白色光を発生するために選択され、
前記白色光は、前記所望の色スペクトルを発生するために帯域通過フィルタを通過する
請求項１３に記載のシステム。
【請求項１５】
前記電子ディスプレイの診断および較正を実行する手段をさらに含む、請求項１に記載のシステム。
【請求項１６】
前記電子ディスプレイの少なくともいくつかはＬＥＤディスプレイであり、
前記診断および較正手段は、前記ディスプレイの各部分に向けられた１つまたは複数のディジタルカメラ装置を含み、
前記ディジタルカメラそれぞれの画像の一部はそのディスプレイの１画素に対応し、
前記ディジタルカメラの画像は、機能しないまたは劣化したＬＥＤを検出することができる
請求項１５に記載のシステム。
【請求項１７】
前記電子ディスプレイの少なくともいくつかはＬＥＤディスプレイであり、
前記診断および較正手段は、
それぞれの色ＬＥＤにおいて、種々のパワーレベルで反復的に１つの色の表示を発生させる手段と、
それぞれのパワーレベルについて、それぞれの色ＬＥＤの光パワー出力を感知する手段と
を備え、
前記較正は、それぞれのパワーレベルについて、それぞれの色ＬＥＤが、同色の他のＬＥＤと同じ光パワー出力を有することを決定することを含む
請求項１５に記載のシステム。
【請求項１８】
前記電子ディスプレイの少なくともいくつかはＬＥＤディスプレイであり、
前記診断および較正手段は、ダイオード再較正スケーラー機構を含み、
前記ダイオード再較正スケーラー機構は、前記種々のパワーレベルにおけるそれぞれのＬＥＤの光パワー出力を示す診断情報から情報を受け取り、
前記ダイオード再較正スケーラー機構は、関連付けられた自動較正ＬＥＤルックアップテーブルを含み、
前記自動較正ＬＥＤルックアップテーブルは、パワー曲線を調整するためのものであり、
前記パワー曲線によって、ＬＥＤ出力における検出された分散に従ってＬＥＤが駆動される
請求項１５に記載のシステム。
【請求項１９】
前記電子ディスプレイの少なくともいくつかはＬＥＤディスプレイであり、
前記診断および較正手段は、ディスプレイ中の各ＬＥＤに近接して配置された１つまたは複数の光検出手段を利用することを含み、
前記光検出手段は、診断／較正オペレーション中にＬＥＤ光出力を計測するためのものである
請求項１５に記載のシステム。
【請求項２０】
前記電子ディスプレイの少なくともいくつかはＬＥＤディスプレイであり、
前記電子ディスプレイの画素のそれぞれは３つの色ＬＥＤを含み、
前記診断および較正手段は全白ディスプレイに関連して動作し、
各画素におけるディスプレイＬＥＤが個々におよび集合的に評価され、それによって、画素が適切なスペクトルと白色光の量とに寄与していることを保証する
請求項１５に記載のシステム。